(57)【要約】【課題】レーザダイオードアレイ等を用いたマルチビームでの書き込み時に発生する上記不具合や、密度変換時に、同一ラインを記録する時に選択される複数のレーザダイオード発光源の組み合わせに応じて生じる不具合を解消し、均一な画像濃度での書き込みを行うことができる画像記録装置を提供することを目的とする。【解決手段】一つのチップ上に複数の発光源が配列されたレーザダイオードアレイと、各レーザダイオード発光源毎に画像データを生成する画像データ手段とを備え、前記画像データに基づいて変調される発光源からのレーザビームを回転多面鏡により走査させ感光体面上に画像を記録する画像記録装置において、前記レーザダイオードアレイの端部に配置されたレーザダイオード発光源の変調データを個別に変換するデータ変換手段を具備した。【選択図】　　　図５
2004106427.tif 000002
【特許請求の範囲】
【請求項１】
一つのチップ上に複数の発光源が配列されたレーザダイオードアレイと、各レーザダイオード発光源毎に画像データを生成する画像データ手段と、を備え、前記画像データに基づいて変調される発光源からのレーザビームを回転多面鏡により走査させ感光体面上に画像を記録する画像記録装置において、
前記レーザダイオードアレイの端部に配置されたレーザダイオード発光源の変調データを個別に変換するデータ変換手段を備えたことを特徴とする画像記録装置。
【請求項２】
前記レーザダイオードアレイ発光源の端部の変調データの変換値が任意に設定可能であることを特徴とする請求項１の画像記録装置。
【請求項３】
基本書き込み密度に対して、画像データの複数ライン化により書き込み密度を変換して倍密記録する倍密記録手段を有し、前記書き込み密度変換時に、同一ラインを記録する時に選択される複数のレーザダイオード発光源の組み合わせによって、端部に配置されたレーザダイオード発光源の変調データの変換値を変更するデータ変換手段を備えたことを特徴とする請求項１の画像記録装置。
【発明の詳細な説明】
【０００１】
【発明の属する技術分野】
本発明は画像記録装置に関し、特にレーザダイオードアレイ等を用いたマルチビーム走査光学系を有する画像記録装置に関する。
【０００２】
【従来の技術】
電子写真装置の感光体には負極性帯電で使用する有機感光体（ＯＰＣ）と呼ばれるものがあり、これは４層で構成されるドラム状のものが代表的である。有機感光体の一番内側は感光体を支える支持体であり、該支持体は導電性が必須のためアルミニウムが用いられることが多い。
支持体の外周にはＵＬ（Ｕｎｄｅｒ　Ｌａｙｅｒ）と呼ばれるバリア層が設けられ、さらに該ＵＬの外周にはＣＧＬ（Ｃａｒｒｉｅｒ　Ｇｅｎｅｒａｔｅ　Ｌａｙｅｒ）と呼ばれる層が設けられている。ＵＬ層は支持体からＣＧＬ層に電荷が注入するのを防いでおり、また、ＣＧＬ層はいわゆる感光層であり、光が当ると電子とキャリアのペアを発生させる。ＣＧＬ層の外側にはＣＴＬ（Ｃａｒｒｉｅｒ　Ｔｒａｎｓｆｅｒ　Ｌａｙｅｒ）と呼ばれ、ＣＧＬで発生したキャリアを通過させる層があり、ＣＧＬ、ＣＴＬ内に電界を発生させるために外側に電荷を保持する機能も併せ持つ。
まずＯＰＣはスコロトロンや帯電ローラ等の帯電装置で、負極性に均一に帯電される。次に、所望の場所にのみ光を当てると、ＣＧＬが発生させたキャリアが表面の負電荷を中和させて静電気の潜像が形成される。強い光を当てれば多くのキャリアが発生し、より多くの負電荷を中和するので、コントラストの大きい潜像が形成される。
このようなＯＰＣを用いたレーザプリンターや、レーザ式デジタル複写機が知られている。レーザプリンターは、主に半導体レーザを光源とした電子写真プリンターである。半導体レーザから発したレーザビームを回転ミラーに照射し、その反射光をＯＰＣ表面で走査させて、かつレーザをＯＮ／ＯＦＦまたは強度をコントロールすることにより、ＯＰＣ上に潜像を形成する。
【０００３】
レーザプリンターのプリント速度を早めるために、従来より回転ミラーの回転速度を上げたり、多角形柱からなる回転ミラー（ポリゴンミラー）をより多くの面を持つ多角形にしたりする方法が採られたが、さらに高速化が進むと、複数の半導体レーザを用いる電子写真装置が開発され、また複数のレーザ素子が一つのチップ上に等間隔に形成されたいわゆるレーザダイオードアレイを用いる技術が提案された。
レーザダイオードアレイ上にｎ個のレーザ素子があれば、従来のｎ倍の速度の書き込みが可能となる。また、マルチレーザダイオードアレイの発光源は前述のように、等間隔に一直線状に並んでいるのが使いやすいが、そうでなくとも構わない。一直線状に並んだレーザのＯＰＣ上のビームスポット群のなす直線は、ＯＰＣ表面をビームが走査する方向との角度は垂直直角であるのが分かりやすいが、直角である必要は無く、その角度を変えることによってＯＰＣ上のビーム間隔を変える、つまり書きこみ密度を変えることも出来る。複数のビームは近接しているので、ポリゴンミラーの同一面に入射するので、ほぼ同時にＯＰＣに照射される。
【０００４】
【発明が解決しようとする課題】
このように、マルチレーザダイオードアレイを用いると単一のレーザダイオードを用いた場合と比較して高速の書き込みあるいは高密度の書き込みを実現することができるが、マルチレーザダイオードアレイ故に生じる不具合もあり、その不具合について説明する。
今４つのレーザが形成された４レーザレイを考える。このレーザダイオードアレイで、周期的な横線を書いてみる。図６のように各レーザダイオード発光源にＬＤ１、ＬＤ２、ＬＤ３、ＬＤ４とナンバーを振ったとき、ＬＤ１、ＬＤ２で線を書き、ＬＤ３、ＬＤ４、ＬＤ１では書かず、ＬＤ２、ＬＤ３で線を書き、ＬＤ４、ＬＤ１、ＬＤ２では書かず、という繰り返しを行なうとする。その場合、図６に示すようにＬＤ４、ＬＤ１の組み合わせで書かれた線は他の線より濃く見え、横線群の中に周期的な柄が見えてしまうことになる。なお、隣り合ったビーム、例えばＬＤ１とＬＤ２、ＬＤ２とＬＤ３、ＬＤ３とＬＤ４は重なり合っているので、実際には１本線になるが、この図では分かりやすくするために、２本線として表示している。
ＬＤ４、ＬＤ１の組み合わせで書かれた線が濃く見えるのは以下の理由と思われる。
ＬＤ４、ＬＤ１の組み合わせで書かれる線以外の線は、ポリゴンミラーの同一面で反射されたビームによって書かれたものであり、ほぼ同時にＯＰＣに照射されるが、ＬＤ４、ＬＤ１の組み合わせで書かれた線は、まずポリゴンミラーのある面（仮にＡ面とする）で反射したＬＤ４からのビームで走査され、次にポリゴンミラーのＡ面の次の面（Ｂ面）で反射されたＬＤ１のビームで走査される。つまり、ポリゴンミラーが一面分回転する時間だけの間をおいて、２回に分けて書きこまれたことになる。
【０００５】
さて、先にも説明したが、ＯＰＣの電荷発生層ＣＧＬに光が当たると、電子とキャリアが発生する。そこに電界があれば、その電界に沿って、電子とキャリアは離れ離れになって移動するが、ある比率で、電子とキャリアは再結合してしまう。再結合したキャリアは、静電潜像の形成には寄与しない。この再結合比率が高いのは（１）発生したキャリアが高密度な時、（２）周囲の電界が弱い時である。
ＬＤ４、ＬＤ１の組み合わせで書き込まれたとき以外の線は、２つのビームがほぼ同時にＯＰＣに照射されているので、２つのビームの重なり部分のキャリア密度が高い。一方ＬＤ４、ＬＤ１の組み合わせで書きこまれた部分は、やや時間を置いて２回に分けてビーム照射がなされているので、キャリア密度は比較的低い。そのためキャリアの電子との再結合比率が比較的低いと考えられる。つまり、ＬＤ４、ＬＤ１の方が多くのキャリアで潜像が形成されるので、コントラストの大きい潜像が得られ、現像されれば濃い線となると考えられる。
なお、上記不具合は同一画像データを複数のレーザダイオード発光源を用いて書き込みを行う書き込み密度の倍密記録にても生じる。すなわち、例えば２倍密で記録する場合、（ＬＤ１、ＬＤ２）（ＬＤ３、ＬＤ４）をペアにして書き込む場合と、（ＬＤ４、ＬＤ１）（ＬＤ２、ＬＤ３）をペアにして書き込む場合があり、（ＬＤ４、ＬＤ１）（ＬＤ２、ＬＤ３）をペアにして倍密記録する場合、ＬＤ１、ＬＤ４の変調データはポリゴンミラーの面をまたがって記録されるので上記説明と同様に変調データの変換が必要となる。
そこで、本発明は、レーザダイオードアレイ等を用いたマルチビームでの書き込み時に発生する上記不具合や、密度変換時に、同一ラインを記録する時に選択される複数のレーザダイオード発光源の組み合わせに応じて生じる不具合を解消するため、レーザダイオードアレイ等を用いたマルチビームでの書き込み時あるいは倍密記録時に、端部のレーザダイオードの変調データの変換値を切り換えることにより均一な画像濃度での書き込みを行うことができる画像記録装置を提供することを目的とする。
【０００６】
【課題を解決するための手段】
上記目的を達成するため、本発明にかかる画像記録装置の請求項１記載の発明は、一つのチップ上に複数の発光源が配列されたレーザダイオードアレイと、各レーザダイオード発光源毎に画像データを生成する画像データ生成手段とを備え、前記画像データに基づいて変調される発光源からのレーザビームを回転多面鏡により走査させ感光体面上に画像を記録する画像記録装置において、前記レーザダイオードアレイの端部に配置されたレーザダイオード発光源の変調データを個別に変換するデータ変換手段を備えた。
これにより、レーザダイオードアレイの端部に配置されたレーザダイオード発光源の変調データを個別に設定するデータ変換手段を用い、レーザダイオードの内側に配置されたレーザダイオード発光源（ＬＤ２、ＬＤ３）の変調データより小さく設定することにより、ポリゴンミラー２面の走査で書かれた小ライン幅（特に２ライン幅）横線の画像濃度と、他の同一ポリゴンミラー面で書かれた小ライン幅横線の画像濃度を均一にして、横線群の中の、周期的な柄をなくすことが可能になる。
本発明にかかる画像記録装置の請求項２記載の発明は、上記請求項１記載の発明に加え、レーザダイオードアレイ発光源の端部の変調データの変換値が任意に設定可能とした。
これにより、マルチレーザダイオードアレイの端部に配置されたレーザダイオード発光源の変調データの設定値を、操作部あるいは画像記録装置に接続されたコンュータ等により、任意に設定可能とすることにより、画像に応じて、ユーザーがデータ変調設定値の設定を変えることにより濃度むらのない画像を得ることが可能になる。
本発明にかかる画像記録装置の請求項３記載の発明は、上記請求項１記載の発明に加え、基本書き込み密度に対して、画像データの複数ライン化により書き込み密度を変換して倍密記録する倍密記録手段を有し、前記書き込み密度変換時に、同一ラインを記録する時に選択される複数のレーザダイオード発光源の組み合わせによって、端部に配置されたレーザダイオード発光源の変調データの変換値を変更するデータ変換手段を備えた。
これにより、複数ビームで同一ラインの書き込み記録を行う倍密記録の場合に、選択されるレーザダイオード発光源のペアに応じてマルチレーザダイオードアレイの端部に配置されたレーザダイオード発光源の変調データの変換値を変えることにより濃度むらが無く、横線群の中の、周期的な柄をなくすことが可能になる。
【０００７】
【発明の実施の形態】
以下、本発明の構成を４チャンネルのレーザダイオードアレイ素子を使用した走査光学系を有する画像記録装置に適用した場合の実施例に基づいて説明する。図１は本発明の画像記録装置の光走査光学系の機構部を示す図である。この光走査光学系において、１はレーザダイオードアレイであり主走査方向にほぼ同一位置で感光体ドラム７の回転方向である副走査方法に所定距離離れ、個別に変調制御可能な複数個の発光源が１個のチップ上に配列されている。
各レーザダイオード発光源からは、それぞれ画像データに応じて変調されたレーザビームが射出される。そしてこれら複数本のレーザビームはコリメートレンズ２、アパ−チャ８、及びシリンドリカルレンズ３にて所定形状のレーザビームに整形されポリゴンミラー（回転多面鏡）４に照射される。すなわち、各レーザダイオード発光源からのレーザビームは、コリメートレンズ２により平行光束とされ、次に書き込み密度の大きさに応じたスリットを持つアパ−チャ８により余分なレーザビームがカットされる。
そのアパーチャ８により整形された各平行光束は、シリンドリカルレンズ３にて主走査方向の画像書き込み用の各レーザビームがそれぞれ感光体ドラム７の表面で所定の大きさになるように集光されポリゴンミラー４に照射される。ポリゴンミラー４は、所定の速度で回転しており、このポリゴンミラーに当たったレーザビームはミラー９に向かい、そこで反射され、主走査方向（感光体ドラム７の回転軸方向Ｘに繰り返して走査される。
この時、ポリゴンミラー４で反射したレーザビームは、一対のＦθレンズ５による等角速度運動から等速運動への変換と面倒れ補正レンズ６による面倒れ補正が行われた後、反射ミラー９により角度を変えられ、ＯＰＣ感光体ドラム７の表面に所定ビーム径でスポット状に結像される。
レーザダイオードアレイ１は、図中Ｚ方向に複数個の発光源を配置しているので、感光体ドラム７の表面に副走査方向（感光体ドラム７の回転方向）Ｙに所定ピッチ（位置差）を持った複数本のレーザビーム照射軌跡が描かれる。
【０００８】
図１において、感光体ドラム７上を主走査する直前のレーザビームは、感光体ドラム７の表面に対する主走査書き込み領域外の主走査開始点側レーザ光路に設けられた同期ミラー１０を介して同期検知センサ１１がレーザビームを検知して主走査方向に基準タイミングを決定する同期検知信号を生成して出力する。
図２は、レーザダイオードアレイチップ１の拡大図である。同図に示すようにレーザダイオードアレイチップ１の接合面１Ａには、複数個の発光源が配列され、本実施例では４個の光源ＬＤ１〜ＬＤ４を配列した例を示し、その４個の発光源から射出されるレーザビームは図示のようにそれぞれＢ１、Ｂ２、Ｂ３、Ｂ４とする。なお、レーザダイオードアレイの発光源は等間隔に一直線状に並んでいるのが使いやすいが、そうでなくとも構わない。また、出射されるレーザビームＢ１、Ｂ２、Ｂ３、Ｂ４の出射方向は主走査方向に対して直角となるように記載したが、直角である必要は無く、その角度を変えても良い。
図３はレーザダイオードアレイの回路構成を示す図であり、１チップ上に一直線上に配置されたレーザダイオード４個（ＬＤ１〜ＬＤ４）に対して、各レーザダイオードの光量を検出する受光素子（以下ＰＤ）１個で構成されている。
【０００９】
本発明ではレーザダイオードアレイ等を用いたマルチビームでの書き込み時（倍密記録であるか否かに拘わらず）、レーザダイオードの端部の発光源、すなわち、ＬＤ４及びＬＤ１にて書き込みを行うと、ポリゴンミラーの異なる面で反射し、コントラストの大きい潜像となってしまうという問題点を解決するため、レーザダイオードを駆動するための変調信号を生成する際、画像データを処理し、濃度の均一な画像を得んとするものであり、それを実施するための構成について以下説明する。
図４は本発明の画像記録装置の書き込み制御部の構成を示す図であり、同期検知センサ２０より出力される主走査方向の記録位置を決定する前記同期検知信号に基づき、画像処理部（図示省略）より４ライン分の画像データが順次、画像データ制御部２１へ入力される。レーザダイオード発光源毎に画像データを生成する画像データ制御部（画像データ生成手段）２１では、４チャンネル分の画像データが内部のラインメモリに記憶されポリゴンミラーの回転のタイミング合わせてタイミング変換され４ラインの画像データがそれぞれ同時に４個のパルス幅変調（ＰＷＭ）部２２ａ〜２２ｄに入力される。
各ＰＷＭ部２２ａ〜２２ｄでは画像処理部２１より入力した画像データに基づきパルス幅変調を行い、各ＰＷＭ部２２ａ〜２２ｄから出力されたＰＷＭ信号はレーザダイオード駆動部（以下ＬＤＤ）２３ａ〜２３ｄに入力される。ＬＤＤ２３ａ〜２３ｄはＰＷＭ信号に基づき、レーザダイオードアレイ内の４チャンネルのレーザダイオード発光源ＬＤ１〜ＬＤ４をそれぞれを駆動する。
また、画像データ制御部２１は、同期検知センサ２０より得られた同期検知信号を基準とし、変調データをＰＷＭ部２２ａ〜２２ｄに出力すると同時に画像処理部に対して画像データを画像データ制御部２１に転送するための基準タイミング信号を発生する。ＰＬＬ部２４は、発振器２５からの出力を用い、同期検知信号に同期させた基準信号を生成し、該基準信号により画像データ制御部２１からＰＷＭ部２２ａ〜２２ｄへの画像出力が行われる。なお、ＣＰＵ２６は画像データ制御部２１を制御するためのものである。
【００１０】
図５は画像データ制御部２１および各パルス幅変調部２２ａ〜２２ｄの構成を示す図であり、破線内は図４に示した画像データ制御部２１の内部ブロック図である。
画像処理部（図示せず）より入力された画像データは、メモリ制御部２１ａにて４ライン化され、画像データＤａｔａ１は第１データ変換部２１ｂ、画像データＤａｔａ２、Ｄａｔａ３は第２データ変換部２１ｃ、画像データＤａｔａ４は第３データ変換部２１ｄにそれぞれ入力される。第１及び第３データ変換部２１ｂ及び２１ｄは、個別に変換値の設定が可能である。なお、２１ｅは主・副走査制御部、２１ｆはＣＰＵ　Ｉ／Ｆ制御部であり、主・副走査制御部２１ｅは画像処理部よりメモリ制御部２１ａに入力した画像データを４ライン化するため、メモリ制御部２１ａを制御したり、後述する倍密記録時に複数ラインの画像データを主走査方向、副走査方向にｎ倍（複数ライン×ｎ倍）に展開する倍密記録する倍密記録手段として機能する。さらに、ＣＰＵ　Ｉ／Ｆ制御部２１ｆはＣＰＵ２６からのデータや制御信号を受け取り、第１〜第３データ変換部２１ｂ、２１ｃ、２１ｄを制御するためのものである。また、請求項において、データ変換手段とは第１データ変換部２１ｂ部及び第３データ変換部２１ｄを意味する。
端部のレーザダイオード発光源（ＬＤ１、ＬＤ４）を駆動する画像データＤａｔａ１、４は、他のレーザダイオード発光源（ＬＤ２、ＬＤ３）を駆動する画像データＤａｔａ２、３より、一定量を減算されて変換されＰＷＭ部２２ａ、２２ｄへ供給するよう第１及び第３データ変換部２１ｂ、２１ｄにて処理することができ、その変換値は、予め画像評価等により決定された値が設定されていても良いし、あるいは画像記録装置内に設置された操作部、または、画像記録装置に接続されているコンピュータ等により、ＣＰＵ２６、ＣＰＵ　Ｉ／Ｆ制御部２１ｆを介して任意に設定可能としても良い。更にはレーザダイオードアレイに組み込まれた受光素子（ＰＤ）で各レーザダイオード発光源ＬＤ１〜ＬＤ４の発光量を検知し、所望の発光量となるよう変換値を設定するようにしても良い。
【００１１】
このような構成をとることにより、本発明にかかる画像記録装置ではレーザダイオードＬＤ４、ＬＤ１により副走査方向に連続した画像を形成する場合、該レーザダイオードＬＤ４、ＬＤ１に供給されるパルス幅変調された画像データ（ＰＷＭ変調信号）を、同一画像をレーザダイオードＬＤ２、ＬＤ３にて形成する場合に該レーザダイオードＬＤ２、ＬＤ３に供給されるパルス幅変調された画像データ（ＰＷＭ変調信号）と比較して一定量減算するよう画像データ制御部のデータ変換部１及び３において処理されるので、レーザダイオードＬＤ４、ＬＤ１からの出射光がポリゴンミラーの異なる面で反射し、多くのキャリアで潜像が形成される傾向を相殺し、均一な画像濃度の書き込みを行うことができる。
なお、各レーザダイオード発光源（ＬＤ１〜ＬＤ４）からのレーザビームがポリゴンミラーの同一面で反射し、画像濃度のばらつきが発生しない場合には、画像データ制御部のデータ変換部１及び３における減算処理は行われず、各画像データＤａｔａ１〜Ｄａｔａ４に対しパルス幅変調が行われる。そして、各ＰＷＭ変調信号はレーザダイオード駆動部（ＬＤＤ１〜ＬＤＤ４）に供給され各レーザダイオード発光源（ＬＤ１〜ＬＤ４）が駆動される。
また、上記説明では書き込み速度を向上させるために同時に複数のレーザダイオード発光源を駆動する例をあげて説明したが、書き込み密度を向上させるために複数のレーザダイオード発光源を駆動する場合に適用してもよい。
つまり、上記実施例のように４個の発光源を用いる場合、レーザダイオード発光源（ＬＤ１、ＬＤ２）（ＬＤ３、ＬＤ４）をペアにして書き込む場合と、（ＬＤ４、ＬＤ１）（ＬＤ２、ＬＤ３）をペアにして書き込む組み合わせが考えられるが、（ＬＤ１、ＬＤ２）（ＬＤ３、ＬＤ４）で書き込む場合は、ポリゴンミラーの面をまたがって、２ラインが記録されることは無く、ポリゴンミラーの同一面でＬＤ１、ＬＤ２あるいはＬＤ３、ＬＤ４がほぼ同時に反射するため、各光源（ＬＤ１〜ＬＤ４）から出射する画像データに応じて変調されたレーザビームにより形成される静電潜像は均一となる。
【００１２】
一方、レーザダイオード発光源（ＬＤ４、ＬＤ１）（ＬＤ２、ＬＤ３）で書き込む場合は、端部の発光源であるＬＤ１、ＬＤ４により書き込まれるデータはポリゴンミラーの面をまたがり、その結果、コントラストの大きい潜像が形成されるので、画像データに応じて変調された変調データをさらに変換する必要がある。そこで本発明を複数のレーザダイオード発光源を用いて倍密度記録する場合に適用する場合について以下説明する。以下２倍密で記録する場合の実施例で説明する。
同期検知センサ２０より出力される主走査方向の記録位置を決定する前記同期検知信号に基づき、画像処理部（図示省略）より２ライン分の画像データが順次、画像データ処理部２１へ入力される。画像データ処理部２１では、２チャンネル分の画像データがメモリ制御部２１ａに記憶され主・副走査制御部２１ｅの制御によりポリゴンミラーの回転のタイミング合わせてタイミング変換され２ラインの画像データが、主走査方向、副走査方向に２倍に展開され、同時に４個のＰＷＭ部２２ａ〜２２ｄに入力される。
１ラインを書き込みする際、レーザダイオード発光源（ＬＤ１、ＬＤ２）（ＬＤ３、ＬＤ４）の組み合わせと、（ＬＤ４、ＬＤ１）（ＬＤ２、ＬＤ３）の組み合わせが有るが、（ＬＤ１、ＬＤ２）（ＬＤ３、ＬＤ４）で書き込む場合は、ポリゴンミラーの面をまたがって、２ラインが記録されることは無い為、端部ＬＤ１、ＬＤ４の変調データの変換は、他のＬＤ２、ＬＤ３のデータ変換と同じ変換値が設定され、一方、（ＬＤ４、ＬＤ１）（ＬＤ２、ＬＤ３）で書き込む場合は、ポリゴンミラーの面をまたがって同一ラインが書き込まれるため、端部ＬＤ１、ＬＤ４の変調データの変換値がＬＤ２、ＬＤ３の変換値に対して小さい値となるよう第１及び第３データ変換部２１ｂ、２１ｄで設定される。
このように、４個の発光源を用い、（ＬＤ４、ＬＤ１）（ＬＤ２、ＬＤ３）をペアにして書き込む場合、上述したように端部ＬＤ１、ＬＤ４により書き込まれる画像データはポリゴンミラーの面をまたがるためコントラストの大きい潜像が形成されるので、第１データ変換部２１ｂ、第３データ変換部２１ｄにて一定量を減算した変換データを生成し、次段のＰＷＭ部２２ａ〜２２ｄへ出力することによりＬＤ２、ＬＤ３により書き込まれる画像データのコントラストと一致させることができる。
【００１３】
なお、上記説明では４個の発光源を用いた例を挙げて説明したが、これに限定するものではなく、倍密記録であるか否かに拘わらずマルチビームでの書き込み時にレーザダイオードアレイの端部の発光源からのレーザビームが異なるポリゴンミラーの面にて反射し、コントラストの大きい潜像が形成される場合に、端部の発光源からのレーザビームのデータを減算し、レーザダイオードアレイの端部以外の発光源からのレーザビームによる書き込まれる画像データのコントラストと一致させる場合に利用することが可能である。
【００１４】
【発明の効果】
請求項１記載の発明によれば、レーザダイオードアレイの端部（本実施例の場合ＬＤ１、ＬＤ４）に配置されたレーザダイオード発光源の変調データを個別に設定するデータ変換手段を用い、レーザダイオードの内側に配置されたレーザダイオード発光源（ＬＤ２、ＬＤ３）の変調データより小さく設定することにより、ポリゴンミラー２面の走査で書かれた小ライン幅（特に２ライン幅）横線の画像濃度と、他の同一ポリゴンミラー面で書かれた小ライン幅横線の画像濃度を均一にして、横線群の中の、周期的な柄をなくすことが可能になる。
請求項２記載の発明によれば、マルチレーザダイオードアレイの端部（本実施例の場合ＬＤ１、ＬＤ４）に配置されたレーザダイオード発光源の変調データの設定値を、操作部あるいは画像記録装置に接続されたコンュータ等により、任意に設定可能とすることにより、画像に応じて、ユーザーが変調データの変換値の設定を変えることにより濃度むらのない画像を得ることが可能になる。
請求項３記載の発明によれば、複数ビームで同一ラインの書き込み記録を行う倍密記録の場合に、選択されるレーザダイオード発光源のペア（例えば（ＬＤ１、ＬＤ２）（ＬＤ３、ＬＤ４）の場合と、（ＬＤ４、ＬＤ１）（ＬＤ２、ＬＤ３）の場合）に応じてマルチレーザダイオードアレイの端部（本実施例の場合ＬＤ１、ＬＤ４）に配置されたレーザダイオード発光源の変調データの変換値を変えることにより濃度むらが無く、横線群の中の、周期的な柄をなくすことが可能になる。
【図面の簡単な説明】
【図１】本発明にかかる画像記録装置の光走査光学系の機構部を示す図。
【図２】本発明にかかる画像記録装置に用いられるレーザダイオードアレイチップの拡大図。
【図３】本発明にかかる画像記録装置に用いられるレーザダイオードアレイの回路構成を示す図。
【図４】本発明にかかる画像記録装置の書き込み制御部の構成を示す図。
【図５】本発明にかかる画像記録装置の画像データ制御部および各パルス幅変調部の構成を示す図。
【図６】マルチレーザダイオードアレイを用いた場合の不具合を説明するための図。
【符号の説明】
１　レーザダイオードアレイ、２１　画像データ制御部（画像データ生成手段）、２１ｂ〜２１ｄ　データ変換部（データ変換手段）、２１ｅ　主・副走査制御部（倍密記録手段）
【図１】
2004106427.tif 000003
【図２】
2004106427.tif 000004
【図３】
2004106427.tif 000005
【図４】
2004106427.tif 000006
【図５】
2004106427.tif 000007
【図６】
2004106427.tif 000008